(57)【特許請求の範囲】
【請求項１】
上節と下節とをそれぞれＩ字形の接続具で連結した１対の前柱及び１対の後柱と，
前記１対の前柱の下部にそれぞれＬ字形の接続具で連結した前側接地間と，
前記１対の後柱の下部にそれぞれＬ字形の接続具で連結した後側接地間と，
前記１対の前柱の上部にそれぞれＴ字形の接続具で連結した前節と後節とからなる１対の天井材と，
前記１対の後柱の下部にそれぞれＴ字形の接続具で連結した下部横材と，
前記１対の天井材の後部及び前記１対の後柱の上部に，それぞれ３軸接続具で連結した上部横材とを含んで組み立てられるフレームに，
安全網を覆い，
前記安全網の天井板の後側内に網台を設置し，
前記天井材の前部先端に日差し台を固定し，
前記Ｉ字形の接続具及び前記Ｌ字形の接続具に補強台用刺し孔を穿孔し，両端に挿入片を形成した補強台を前記Ｉ字形の接続具及び前記Ｌ字形の接続具の前記補強台用刺し孔に刺してフレームを補強し，
前記安全網の底板を前側に傾斜させ，前記安全網の底板の先端部に，傾き，幅，及び，ゴ−ル位置が自在に調節できる集球部を設置し，
前記網台には掛止部を形成し，その前面に標的付着用ベルクロファスナーを取り付けた打球遮断網を設置し，
前記網台に，各々色を異にした複数の標的を付着し，上部裏面にベルクロファスナーを付着した平面標的，及び／または，各々色を異にした複数の標的孔を穿孔し，前記各標的孔の裏面にボールポケットを取り付け，上部裏面にベルクロファスナーを付着した穿孔標的とを，前記打球遮断網のベルクロファスナーに付着したことを特徴とする，ゴルフ練習台。
【請求項２】
前記安全網の両側板の上端部で，前記網台及び前記打球遮断網の位置に，スライドファスナーで開閉する窓を有することを特徴とする，請求項１に記載のゴルフ練習台。
【請求項３】
前記天井材は，前記前節の長さを前記後節の長さよりも長く形成し，前記安全網の左右側板を前記前節の長さ程度延長して，前側方向から前記安全網が左右に開くようになっていることを特徴とする，請求項１または２のうちのいずれか１項に記載のゴルフ練習台。
【請求項４】
前記打球遮断網の上面に，各々異なる複数の標的を形成した平面標的を付着したことを特徴とする，請求項１，２，または３のうちのいずれか１項に記載のゴルフ練習台。
【請求項５】
前記打球遮断網の上面に複数の標的孔を形成し，前記標的孔の裏面にボールポケットを付着した穿孔標的を付着したことを特徴とする，請求項１，２，または３のうちのいずれか１項に記載のゴルフ練習台。
【請求項６】
前記打球遮断網の上面に，前記平面標的と前記穿孔標的とを同時に並べて付着したことを特徴とする，請求項１，２，または３のうちのいずれか１項に記載のゴルフ練習台。
【請求項７】
前記安全網を成している底板の前側先端に連結した集球部の３面縁に，屈伸自在な針状材を刺して，前記集球部の縁を地面の高さと落球が打球の位置に流れ込む通路の入口の幅とを必要によって調節できるようにしたことを特徴とする，請求項１，２，３，４，５，または６のうちのいずれか１項に記載のゴルフ練習台。
【発明の詳細な説明】
【０００１】
【発明の属する技術分野】
本発明は，家の庭や屋上などのような狭い所でも，経済的に正確な飛距離と方向の打球練習を効果的に行うことができ，また，落球を収納することなく自動的に落球が近距離に戻ることでボールの回収が容易である，ゴルフの練習とゴルフの娯楽とを同時に楽しめるようにした，組み立て式ゴルフ練習台に関するものである。
【０００２】
【従来の技術】
一般に，狭い場所で打力を向上させるための組立式ゴルフ練習台は，ゴルフを楽しむ人達の実力向上に非常に役立ってきた。
【０００３】
【発明が解決しようとする課題】
しかしながら，このような用途を有した従来の組立式ゴルフ練習台は，分解組立が簡単ではなかった。
【０００４】
また，標的が単純であるため短時間内に打力をアップするには限界があり，打球が終わった後，練習台内では勿論，練習台外の地面に落ちたゴルフボールが四方に散らばり易く，ゴルフ練習を終えた後にいちいちゴルフボールを収納しなければならないなど，面倒な問題があった。
【０００５】
本発明は，上記従来技術の問題点を解決するためのもので，経済的かつ効率的に正確な打球練習が可能で，落球が練習台内で一定の通路を介して自動的に次の打球と一番近い位置に戻るようにし，極めて狭い場所でも便利に使用でき，楽しいゴルフ娯楽も楽しめる，ゴルフ練習台を提供することを目的とする。
【０００６】
【課題を解決するための手段】
上記目的を達成するための本発明によるゴルフ練習台は，以下のように構成される。
【０００７】
上節１１１と下節１１２とをそれぞれＩ字形の接続具３１で組み合わせるようにした１対の前柱１１ａと１対の後柱１１ｂと，１対の前柱１１ａの下部にそれぞれＬ字形の接続具３３で連結した前側接地間１４ａと，１対の後柱１１ｂの下部にそれぞれＬ字形の接続具３３で連結した後側接地間１４ｂと，１対の前柱１１ａの上部にそれぞれＴ字形の接続具３２で連結した前節と後節とからなる１対の天井材１３と，１対の後柱１１ｂの下部にそれぞれＴ字形の接続具３２で連結した下部横材１５と，１対の天井材１３の後部及び１対の後柱１１ｂの上部に，それぞれ３軸接続具３４で連結した上部横材１２とを含んでフレーム１が組み立てられる。
【０００８】
このフレーム１に，安全網２を覆い，安全網２の天井板２３の後側内に網台７を設置し，網台７にベルクロファスナー５２を有した平面標的５，及び／または，穿孔標的５ａを設置する。天井材１３の前部先端には日差し台１３ｃを取り付けて刺し１３ｄで固定し，上記Ｉ字形の接続具３１及びＬ字形の接続具３３に補強台用刺し孔３５を穿孔して，両端に挿入片４１が形成されている補強台４を刺してフレーム１を補強する。
【０００９】
安全網２の底板２４は前側に傾斜させ，安全網２の底板２４の先端部に，傾き，幅，及び，ゴ−ル位置が自在に調節できる集球部２５を設置する。
【００１０】
網台７には上弁に掛止部が形成され，その前面には標的付着用ベルクロファスナー６２が取り付けられている打球遮断網６を設置する。そして，各々色を異にした複数の標的５１が付着され，上弁の裏面にベルクロファスナー５２が付着された平面標的５，及び／または，各々色を異にした複数の標的孔５３が穿孔され，各標的孔５３の裏面にボールポケット５４が取り付けられ，上弁の裏面にベルクロファスナー５２が付着された穿孔標的５ａを，打球遮断網６のベルクロファスナー６２に付着するようになっている。
【００１１】
【発明の実施の形態】
以下，添付の図面を参照して本発明の実施の形態を更に詳細に説明する。なお，本明細書及び図面において，実質的に同一の機能構成を有する構成要素については，同一の符号を付することにより重複説明を省略する。
【００１２】
図１は，本実施形態によるゴルフ練習台兼用ゴルフ娯楽機構の斜視図，図２は，本実施形態による図１の縦断面図である。図１と図２において，本実施形態で提案するゴルフ練習台は，フレーム１と，安全網２，接続具３，補強台４，平面標的５と，穿孔標的５ａと，及び打球遮断網６とからなる。
【００１３】
図３は，本実施形態によるフレーム１の斜視図である。図３に示すようにフレーム１は，前柱１１ａと後柱１１ｂ，上部横材１２，天井材１２，接地間１４，及び下部横材１５とからなる。前柱１１ａと後柱１１ｂは，上端に略Ｉ字形の接続具３１を半分ほど挿入し，リベッティングや溶接などの方法で固定した下節１１１と，前記接続具３１に下端を挿入して柱を成すようになっている上節１１２との組合体として，安全網２を支持する役割を兼ねている。
【００１４】
上部横材１２は，両側後柱１１ｂの上節１１１上端間，及び下端間，または，前柱１１ａの下端同士の左右に連結して丈夫なフレーム１の形態を維持するもので，安全網２の後側上端を支持する役割を兼ね，ゴルフ練習台の幅を決定する主な要素である。
【００１５】
天井材１３は，前柱１１ａ前側に相当部分突出されるように前柱１１ａと後柱１１ｂの上端間に架設して安全網２を取り付けて支持するもので，後節１３ｂの先端と前節１３ａの後端とは略Ｔ字形の接続具３２に接続する。前節１３ａは後節１３ｂより些かに長くして安全網２の日差しを前に広くして，打席近くで空中に跳ねる打球も収納し易くして安全網２の内側に落ちるように導く。
【００１６】
また，前節１３ａの先端には，略Ｈ字形の日差し台１３ｃを挿入して刺し１３ｄにより挿入状態を固定するようになっている。また，安全網２の上側後側に打球遮断網掛け用網台７を付着し，前記網台７に遮断網６を取り付けるようにする。
【００１７】
接地間１４は，前柱１１ａの下端及び後柱１１ｂの下端同士を連結して補強するものであり，下部横材１５は，後柱１１ｂ間を丈夫にするためにその下節１１２上に略Ｔ形接続具３２に接続する。
【００１８】
図４は，本実施形態による安全網の斜視図である。図４に示すように，安全網２はフレーム１の左右側板２１と後板２２，または天井板２３と底板２４とから成っていて，ゴルフ練習台の中に飛び込んでくるゴルフボールは全て底板２４の上に落ちて前側の集球部２５に流れ込むようにガイドすることで，ゴルフボールの収納を容易にする。
【００１９】
集球部２５は，底板２４の先端部に凹んでいて，３面縁２６の中には針状材２７を刺して縁の高さと通路の幅を任意に調節できるようにして，落球の集球性を高める。
【００２０】
また，安全網２の角と各々弁の中間などには，前柱１１ａと後柱１１ｂ，横材１２，天井材１３上で各々定めた位置に掛けて固定する掛止部８が付着されていて，天井板２３の先端には天井材１３の先端を覆って組み立て状態を安定させるカバー部２８を有している。
【００２１】
また，安全網２の後両側壁の上端部には，遮断網６と略同じ位置に，略逆Ｌ字形の窓２８を作って，スライドファスナー２９により開閉できるようにする。窓２８は標的を付着したり，交替の際容易にするためである。
【００２２】
図５は，本実施形態による各種接続具の斜視図である。図５に示すように，略Ｉ字形の接続具３１は，前柱１１ａと後柱１ｂで後節１１１と下柱１１２との接続に用いられるものである。そして，長さのほぼ中間には，前柱１１ａと後柱１１ｂ間に補強台４にフレーム１の形態を堅固にするための補強台用刺し孔３１ａが穿孔されている。略Ｔ字形の接続具３２は，前柱１１ａと天井材１３の前節１３ａ及び後節１３ｂを同時に接続するのに用いられる。また，略Ｌ字形の接続具３３は，左右前柱１１ａの下端とその接地間１４同士及び後柱１１ｂの下端とその接地間１４を接続するとき用いるもので，ここにも補強台用刺し孔３５が穿孔されている。３軸接続具３４は，後柱１ｂと横材１２及び天井材１３が合う地点，即ちフレーム１の後側上部角の接続用である。
【００２３】
図６は，本実施形態による補強台４の斜視図である。図６に示すように，補強台４は，各方面の前柱１１ａと後柱１１ｂの中間部位と下端部に刺してフレーム１の形態安定を図るのに用い，太い鋼線の両端を同じ方向に直角切曲して，前後接続具３１，３３の補強台用刺し孔３５に刺し片４１を形成する。
【００２４】
図７は，本実施形態による平面標的５の斜視図である。図７に示すように，平面標的５の上弁裏面には，打球遮断網６の前面上端に付着したベルクロファスナー６１に付けられるベルクロファスナー５２が付着されている。また，各々色が違うように表示されていて，その下側または上側に点数が現れている複数の標的５１は，上下１列に並べて配置されている。
【００２５】
図８は，本実施形態による穿孔標的５ａの斜視図である。図８に示すように，穿孔標的５ａは，板面に穿孔された標的５１と同数に下側または上側に点数が表示されている標的孔５３を穿孔して，その方向に打球が流れ込むようになっている。そして，各標的孔５３の後面の縁には網材ボールボケット５４が取り付けられていて，標的孔５３に入ったゴルフボールを収める。また，上弁の裏面には，打球遮断網６の前面上端に付着したベルクロファスナー６２に付着するベルクロファスナー５２が付着されている。
【００２６】
図９は，本実施形態による打球遮断網６の斜視図である。図９に示すように，打球遮断網６は，ゴルフ練習台の内に飛び込むゴルフボールの衝撃を減らしながら阻止して底に落ちるようにするもので，ゴルフ練習台の内部横断面積ほどの網材である。そして，上弁には網台７に掛かる掛止部６１が付着されており，その前面には平面標的５及びまたは穿孔標的５ａのベルクロファスナー５２に対応するベルクロファスナ−６２が付着されている。
【００２７】
次に，図１と図２を参照して，本実施形態のゴルフ練習台の組立順について説明する。前柱１１ａと後柱１１ｂの下節１１２の上端の略Ｉ字形の接続具３１に上節１１１を刺し，各前柱１３ａと後柱１１２の下端と接地間１４は略Ｌ字形の接続具３３に接続する。また，前節１３ａの後端と後節１３ｂの先端，及び前柱１１ａの上端また後柱１１ｂの下節１１２同士は，略Ｔ字形の接続具３２と下部横材１５に接続して補強し，上部横材１２の両端と後節１３ｂの後端及び後柱１１ｂは，３軸接続具３４に接続する。
【００２８】
また，各方面の前柱１１ａ及び後柱１１ｂの前後接続具３１側の刺し孔３５に補強台４を刺し，前後接続具３３の刺し孔３５にも他の補強台４を刺してフレーム１を組み立てる。また，天井材１３の前節１３ａには日差し台１３ｃを挿入して刺し，１３ｄを刺して固定する。
【００２９】
次は，網台７に打球遮断網６の掛止部６１を掛ける。また，打球遮断網６のベルクロファスナー６２には平面標的５だけを，または，穿孔標的５ａだけを，或いは，片側には平面標的５を，他側には穿孔標的５ａを，ベルクロファスナー５２に付着して用いる。次に，安全網のカバー部２８を天井材１３の日差し台１３ｃの先端で覆い，各方面の掛止８は前柱１１ａと後柱１１ｂ，横材１２，天井材１３及び下部横材１５上に挿入して掛ける。この時底板２４は前側に傾斜にし，集球部２５は底が凹むように縁２６を操作して落球がその方に流れ込んで集まるようにする。このように組み立て，ゴルフ練習またはゴルフ娯楽の後折り畳む時は前記の逆順にする。
【００３０】
図１０は，本実施形態による平面標的５だけ用いる時の例示図であり，図１１は，本実施形態による穿孔標的だけ用いる時の例示図である。図１０に示すように，平面標的５だけ用いる場合には，複数の標的５１の中で飛球が当る標的の色で飛距離を推定する。一方，図１１に示すように穿孔標的５ａだけを用いる場合は，標的孔５３に入ったことを確認した上で飛距離を推定する。
【００３１】
平面標的５だけを用いる時の落球は，前側に傾斜した底板２４に沿って転がってきて集球部２５に集まるだけで練習台の外に散らばらないので，ゴルフ練習後ゴルフボールの収納が容易である。また，穿孔標的５ａだけを用いる場合には，ボールポケット５４に入っているゴルフボールと集球部２５に集まっているゴルフボールの回収が容易である。
【００３２】
図１２は，本実施形態による平面標的５と，穿孔標的５ａを同時に用いる時の例示図である。打球遮断網６に標的二つを同時に並べて掛けておき，自分の側に穿孔標的５ａの標的孔５３に入ったゴルフボールの個数，標的孔５３の位置別集球数によって勝負を区別するゴルフゲームを楽しめる。
【００３３】
以上説明したように，本実施形態によると，次のような効果がある。主な標的で色が違う複数の標的とゴルフボールが入ったボールポケットを有している副標的を自由に選択付着させ打球練習が可能であることから，ゴルフ実力培養に寄与するところが大きい。また，落球は練習台内の集球部に転がってきて集まり，または副標的のボールポケットに回収することもできるので，打球練習後ゴルフボールの回収が容易である。また，穿孔標的二つを並べて付着させると，二人の標的孔に入った自己打球の数を数えて勝負を争う楽しいゴルフ娯楽を楽しめ，打球ごとに非距離と方向の正確性を確認することができるなど，一石二鳥の効果を奏する。
【００３４】
以上，添付図面を参照しながら本発明のゴルフ練習台の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００３５】
【発明の効果】
本発明により，経済的かつ効率的に正確な打球練習が可能で，落球が練習台内で一定の通路を介して自動的に次の打球と一番近い位置に戻るようにし，極めて狭い場所でも便利に使用でき，楽しいゴルフ娯楽も楽しめる，ゴルフ練習台が提供できた。
【図面の簡単な説明】
【図１】図１は，本実施形態によるゴルフ練習台兼用ゴルフ娯楽機構の斜視図である。
【図２】図２は，本実施形態による図１の縦断面図である。
【図３】図３は，本実施形態によるフレームの斜視図である。
【図４】図４は，本実施形態による安全網の斜視図である。
【図５】図５は，本実施形態による各種接続具の斜視図である。
【図６】図６は，本実施形態による補強台の斜視図である。
【図７】図７は，本実施形態による平面標的の斜視図である。
【図８】図８は，本実施形態による穿孔標的の斜視図である。
【図９】図９は，本実施形態による打球遮断網の斜視図である。
【図１０】図１０は，本実施形態による平面標的だけ用いる時の例示図である。
【図１１】図１１は，本実施形態による穿孔標的だけ用いる時の例示図である。
【図１２】図１２は，本実施形態による平面標的と，穿孔標的を同時に用いる時の例示図である。
【符号の説明】
１  フレーム
２  安全網
３  接続具
４  補強台
５  平面標的
５ａ  穿孔標的
６  打球遮断網
７  網台
８  掛止
１１ａ  前柱
１１ｂ  後柱
１２  上部横材
１３  天井材
１３ｃ  日差し台
１３ｄ  刺し
１４ａ  前側接地間
１４ｂ  後側接地間
１５  下部横材
２３  天井板
２４  底板
２５  集球部
３１  略Ｉ字形の接続具
３２  略Ｔ字形の接続具
３３  略Ｌ字形の接続具
３４  ３軸接続具
３５  補強台用刺し孔
４１  挿入片
５１  標的
５２  ベルクロファスナー
５３  標的孔
５４  ボールポケット
６２  標的付着用ベルクロファスナー
１１１  上節
１１２  下節
【図１】
0003765791.tif 000002
【図２】
0003765791.tif 000003
【図３】
0003765791.tif 000004
【図４】
0003765791.tif 000005
【図５】
0003765791.tif 000006
【図６】
0003765791.tif 000007
【図７】
0003765791.tif 000008
【図８】
0003765791.tif 000009
【図９】
0003765791.tif 000010
【図１０】
0003765791.tif 000011
【図１１】
0003765791.tif 000012
【図１２】
0003765791.tif 000013